(57)【要約】【課題】電気接続箱の小型化・薄型化と生産性の向上とを両立可能な電気接続箱の製造方法を提供すること。【解決手段】電気接続箱１は、本体部１１とカバー部１２とを有する。カバー部１２は、本体部１１が収容する電子部品２１，２２から延びる電線ｗを外部に挿通する開口箇所１５を有する。本体部１１は、少なくとも２つの貫通孔２４を有する。所定の経路に沿うように電線ｗの形状を整えながら、一の貫通孔２４を通じて電線収容空間１７の内部へ入り且つ他の貫通孔２４を通じて電線収容空間１７の外部へ出るように設けられた紐状体３０を引き締めて、電線ｗを本体部１１に向けて押し付けて、電線ｗに対して癖付けが施される。その後、癖付けが施された電線ｗが本体部１１及びカバー部１２の間に収容され且つ開口箇所１５を経て外部に向かうように、本体部１１にカバー部１２が組み付けられる。【選択図】図４
2020124014.tif 000002
【特許請求の範囲】
【請求項１】
電子部品を内部に収容可能であり且つ前記電子部品に電気的に接続される電線を外部に向けて引出可能である電気接続箱を製造するための、電気接続箱の製造方法であって、
前記電気接続箱は、
前記電子部品を保持可能な本体部と、前記本体部に組み付けられるカバー部と、を有し、前記本体部及び前記カバー部の少なくとも一方は、前記本体部から延びる前記電線を前記本体部と前記カバー部との間に画成される空間の内部から外部に挿通可能な開口箇所を有するように構成され、
前記本体部は、
当該本体部を貫通する少なくとも２つの貫通孔を有し、
当該製造方法は、
前記電気接続箱の内部から前記開口箇所を経て前記電気接続箱の外部に向かう所定の経路に沿うように前記電線の形状を整えながら、前記少なくとも２つの前記貫通孔の一つを通じて前記空間の内部へ入り且つ他の一つを通じて前記空間の外部へ出るように設けられた紐状体を引き締めて前記電線を前記本体部に向けて押し付けることにより、前記経路に沿う形状を有するように前記電線に対して癖付けを施す、第１工程と、
前記癖付けが施された前記電線が前記本体部と前記カバー部との間に収容され且つ前記開口箇所を経て外部に向かうように、前記本体部に前記カバー部を組み付ける、第２工程と、を備える、
電気接続箱の製造方法。
【請求項２】
請求項１に記載の製造方法において、
前記少なくとも２つの前記貫通孔は、前記本体部に前記電子部品を収容して保持する収容箇所と前記本体部の外壁との間に存在する空隙、又は、前記収容箇所同士の間に存在する空隙である、
電気接続箱の製造方法。
【請求項３】
請求項１又は請求項２に記載の製造方法において、
前記第２工程にて、前記本体部に前記カバー部が組み付けられた後、前記紐状体を前記前記貫通孔を通じて引き抜くことにより、前記紐状体を前記本体部から取り外す、
電気接続箱の製造方法。
【発明の詳細な説明】
【技術分野】
【０００１】
本発明は、電気接続箱の製造方法に関する。
【背景技術】
【０００２】
従来から、リレー及びヒューズ等の電子部品が内蔵された電気接続箱が提案されている。具体的には、従来の電気接続箱の一つでは、それら電子部品と外部機器とを繋ぐための電線束が、電気接続箱に設けられた開口箇所（即ち、電線束の引出口）を介して、電気接続箱の内部から外部に向けて引き出されている（例えば、特許文献１〜３を参照。）。
【先行技術文献】
【特許文献】
【０００３】
【特許文献１】特開２０１４−１９５３５８号公報
【特許文献２】特開平９−２９０７００号公報
【特許文献３】特開２００６−１９１７８４号公報
【発明の概要】
【発明が解決しようとする課題】
【０００４】
近年、自動車などの車両に電気接続箱を搭載するにあたり、電気接続箱の小型化・薄型化の要望が高まっている。更に、電気系統の複雑化などに伴い、電気接続箱に接続される電線の数は増大する傾向にある。これらの結果、電気接続箱の内部で電線を取り回すことができるスペース（例えば、多数の電線が繋がる本体部とロアカバー等のカバー部との間のスペース）に余裕がなくなり、更に電線の数の増大に伴って電線束を曲げ難くなり、本体部にカバー部を組み付ける作業が困難になっている。換言すると、電気接続箱の小型化・薄型化に伴い、電気接続箱の生産性を向上させ難くなっている。
【０００５】
本発明は、上述した事情に鑑みてなされたものであり、その目的は、電気接続箱の小型化・薄型化と生産性の向上とを両立可能な電気接続箱の製造方法を提供することにある。
【課題を解決するための手段】
【０００６】
前述した目的を達成するために、本発明に係る電気接続箱の製造方法は、下記［１］〜［３］を特徴としている。
［１］
電子部品を内部に収容可能であり且つ前記電子部品に電気的に接続される電線を外部に向けて引出可能である電気接続箱を製造するための、電気接続箱の製造方法であって、
前記電気接続箱は、
前記電子部品を保持可能な本体部と、前記本体部に組み付けられるカバー部と、を有し、前記本体部及び前記カバー部の少なくとも一方は、前記本体部から延びる前記電線を前記本体部と前記カバー部との間に画成される空間の内部から外部に挿通可能な開口箇所を有するように構成され、
前記本体部は、
当該本体部を貫通する少なくとも２つの貫通孔を有し、
当該製造方法は、
前記電気接続箱の内部から前記開口箇所を経て前記電気接続箱の外部に向かう所定の経路に沿うように前記電線の形状を整えながら、前記少なくとも２つの前記貫通孔の一つを通じて前記空間の内部へ入り且つ他の一つを通じて前記空間の外部へ出るように設けられた紐状体を引き締めて前記電線を前記本体部に向けて押し付けることにより、前記経路に沿う形状を有するように前記電線に対して癖付けを施す、第１工程と、
前記癖付けが施された前記電線が前記本体部と前記カバー部との間に収容され且つ前記開口箇所を経て外部に向かうように、前記本体部に前記カバー部を組み付ける、第２工程と、を備える、
電気接続箱の製造方法であること。
［２］
上記［１］に記載の製造方法において、
前記少なくとも２つの前記貫通孔は、前記本体部に前記電子部品を収容して保持する収容箇所と前記本体部の外壁との間に存在する空隙、又は、前記収容箇所同士の間に存在する空隙である、
電気接続箱の製造方法であること。
［３］
上記［１］又は上記［２］に記載の製造方法において、
前記第２工程にて、前記本体部に前記カバー部が組み付けられた後、前記紐状体を前記前記貫通孔を通じて引き抜くことにより、前記紐状体を前記本体部から取り外す、
電気接続箱の製造方法であること。
【０００７】
上記［１］の構成の製造方法によれば、紐状体（例えば、所定の幅を有する薄板上のベルト）により、電気接続箱の本体部から延びる電線が、電気接続箱の内部から開口箇所（例えば、引出口）を経て電気接続箱の外部に向かう所定の経路（電線の引き出し経路）に沿うように形状を整えながら、本体部に向けて押し付けられる。これにより、電線に対し、上述した経路に沿う形状を有するような癖付けが施される。そして、癖付けが施された電線を覆うように、本体部にカバー部（例えば、ロアカバー）が組み付けられる。よって、癖付けが施されていない電線を覆うように強引に本体部にカバー部を組み付ける場合に比べ、本体部にカバー部を組み付ける作業が容易になる。また、上述した経路から外れた電線が意図せず本体部とカバー部との間に挟まれること（いわゆる噛み込み）を抑制できる。更に、紐状体を用いることで、複数の電線に対して一纏めに癖付けを施し得るため、電線の数が増大しても電線の癖付けが容易になる。したがって、本構成の製造方法は、電気接続箱の小型化・薄型化と生産性の向上とを両立可能である。
【０００８】
上記［２］の構成の製造方法によれば、電気接続箱に一般に存在する「電子部品の収容箇所と外壁との間に存在する隙間」や「電子部品の収容箇所同士の間に存在する隙間」を利用し、紐状体が上述した空間の内外に挿通される。そのため、紐状体を通すための専用の貫通孔を電気接続箱に設ける必要がない。よって、電気接続箱の品番や仕様によらず、種々様々な電気接続箱に対し、本構成の製造方法を適用できる。
【０００９】
上記［３］の構成の製造方法によれば、紐状体によって電線を押し付けたまま、カバー部が本体部に組み付けられる。そのため、紐状体による電線の押し付けが解除される場合に比べ、電線の形状が所定の経路に沿った形状に強固に保たれる。よって、本体部にカバー部を組み付ける工程が容易になり、電気接続箱の生産性を向上できる。
【発明の効果】
【００１０】
本発明によれば、電気接続箱の小型化・薄型化と生産性の向上とを両立可能な電気接続箱の製造方法を提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本発明の実施形態に係る電気接続箱の分解斜視図である。
【図２】図２は、図１に示す本体部及び下カバー部を底面側から見た斜視図である。
【図３】図３は、紐状体が取り付けられた状態にある図１に示す本体部を底面側から見た斜視図である。
【図４】図４（ａ）〜図４（ｃ）は、本体部に下カバー部を組み付ける際の手順について説明するための図３のＡ−Ａ断面に相当する図である。
【図５】図５は、下カバー部が組み付けられた本体部を底面側から見た斜視図である。
【発明を実施するための形態】
【００１３】
＜実施形態＞
以下、図１〜図５を参照しながら、本発明の実施形態に係る電気接続箱１の製造方法について説明する。本例において、電気接続箱１は、リレー及びヒューズ等が取り付けられるリレーボックスである。電気接続箱１は、典型的には、車両に搭載され、種々の車載電装品と電気的に接続されて使用される。
【００１４】
図１に示すように、電気接続箱１の筐体部１０は、上方に開口する矩形箱状の樹脂製の本体部１１と、本体部１１の下端縁に組み付けられて本体部１１の底面との間に電線を取り回すための電線収容空間１７（図４（ｃ）参照）を画成する樹脂製の下カバー部１２と、本体部１１の上端縁に組み付けられて本体部１１の上面を覆う樹脂製の上カバー部１３と、を備える。下カバー部１２は、上方が開口する矩形箱状の形状を有し、上カバー部１３は、下方が開口する矩形箱状の形状を有する。
【００１５】
本体部１１の内部には、基板を含む保持部２０が固定配置されており、保持部２０の上面側には、複数（本例では、２つ）のリレー２１と、複数（本例では、３つ）のヒューズ２２とが取り付けられ、保持されている。
【００１６】
保持部２０の下面側には、複数のコネクタ接続部（図示省略）が設けられている。複数のコネクタ接続部には、図２に示すように、複数の電線ｗにより構成される電線束Ｗ１及び電線束Ｗ２の何れか一方又は両方の一端部に接続された複数のコネクタ２３が接続されている。複数のコネクタ２３は、本体部１１の底面から露出するように本体部１１の底壁に配置されている。この結果、電線束Ｗ１，Ｗ２を構成する複数の電線ｗが、本体部１１の底面から電線収容空間１７の内部に導出されている。
【００１７】
本体部１１の底壁には、図２に示すように、上下方向（厚さ方向）に貫通する複数の貫通孔２４が設けられている。複数の貫通孔２４は、本体部１１の底壁の外縁部近傍にて当該外縁部の周方向に間隔を空けて位置している。本例では、貫通孔２４として、本体部１１に電子部品（具体的には、リレー２１及びヒューズ２２）を収容する収容箇所と本体部１１の側壁１４との間に存在する空隙が使用されている。この空隙は、例えば、電気接続箱１内に水が侵入した場合における排水用の水抜き孔として用いられ得る。
【００１８】
なお、貫通孔２４として、本体部１１に電子部品を収容する収容箇所同士の間に存在する空隙が使用されてもよい。更には、本体部１１の側壁１４そのものが、所定間隔を空けて平行に近接する２枚の壁で構成されている場合、２枚の壁の間の空隙が貫通孔２４として使用されてもよい。
【００１９】
下カバー部１２の側壁１４には、図１に示すように、複数（本例では、２つ）の引出口１５が形成されている。引出口１５は、本例では、側壁１４に形成された上方に開口し且つ下方に窪んだＵ字状の凹部の縁部から側壁１４の外側に向けて一体に突出するＵ字状のフード部１６により構成されている。
【００２０】
電線束Ｗ１は、２つの引出口１５のうち一方の引出口１５を介して電線収容空間１７の内部から外部に導出され、電線束Ｗ２は、他方の引出口１５を介して電線収容空間１７の内部から外部に導出されている。電線束Ｗ１，Ｗ２の他端部はそれぞれ、例えば、種々の車載電装品と電気的に接続される。これにより、電線束Ｗ１，Ｗ２を介してリレー２１及びヒューズ２２と、種々の車載電装品とが電気的に接続される。
【００２１】
本体部１１に下カバー部１２及び上カバー部１３を組み付ける際には、下カバー部１２を本体部１１に組み付けた後に上カバー部１３を本体部１１に組み付けてもよいし、上カバー部１３を本体部１１に組み付けた後に下カバー部１２を本体部１１に組み付けてもよい。なお、下カバー部１２及び上カバー部１３の本体部１１への組み付け完了状態において、本体部１１と下カバー部１２との間の隙間、及び、本体部１１と上カバー部１３との間の隙間を封止するための止水部材が、本体部１１側、及び／又は、下カバー部１２及び上カバー部１３側に設けられていることが好適である。
【００２２】
以下、図３及び図４を参照しながら、本体部１１に下カバー部１２を組み付ける際の手順について説明する。本体部１１の底面から導出される複数の電線ｗは、当初は癖付けが施されていないので、図４（ａ）に示すように、本体部１１の底面からランダムな方向にランダムな態様でそれぞれ延びている。よって、このような癖付けが施されていない複数の電線ｗを覆うように強引に本体部１１に下カバー部１２を組み付けて、複数の電線ｗを電線収容空間１７の内部に適正な態様で格納しつつ引出口１５から電線収容空間１７の外部へ導出させることは、非常に困難である。この傾向は、電気接続箱１の小型化・薄型化により電線収容空間１７が狭くなるほど、また電線ｗの本数が増えるほど、顕著になる。
【００２３】
この問題に対処するため、本例では、本体部１１に下カバー部１２を組み付ける前に、先ず、図３及び図４（ａ）に示すように、紐状体３０（典型的には、帯状のベルト）が、一対の貫通孔２４の一方を通して電線収容空間１７の内部に入り且つ一対の貫通孔２４の他方を通して電線収容空間１７の外部へ出るように、且つ、本体部１１の底面から導出する電線ｗが上下方向にて紐状体３０と本体部１１の底面との間に位置するように、本体部１１に取り付けられる。図３に示す例では、３対の貫通孔２４（計６つの貫通孔２４）を利用して、３本の紐状体３０（３０ａ，３０ｂ，３０ｃ）が、互いに異なる位置・態様で、本体部１１に取り付けられている。
【００２４】
次いで、図４（ｂ）に示すように、複数の電線ｗが電線収容空間１７の内部から引出口１５を経て電気接続箱１の外部に向かう所定の経路（図２を参照）に沿うように複数の電線ｗの形状を整えながら、紐状体３０の一端部を把持装置４０（図３参照）により固定し、紐状体３０の他端部を巻取装置５０（図３参照）を用いて巻き取ることで、紐状体３０が引き締められる。これにより、複数の電線ｗが本体部１１の底面に向けて押し付けられることで、複数の電線ｗが所定の経路（図２を参照）に沿う形状を有するように複数の電線ｗに対して癖付けが施される。
【００２５】
次いで、紐状体３０の引き締め（即ち、複数の電線ｗの押し付け）を維持しながら、図４（ｃ）に示すように、癖付けが施された複数の電線ｗが電線収容空間１７に収容され且つ引出口１５を経て外部に向かうように、下カバー部１２が本体部１１に組み付けられる。
【００２６】
次いで、紐状体３０の引き締め（即ち、複数の電線ｗの押し付け）が解除されて、紐状体３０が本体部１１から引き抜かれる。これにより、図５に示すように、下カバー部１２の本体部１１への組み付けが完了する。
【００２７】
以上、本発明の実施形態に係る電気接続箱１の製造方法によれば、紐状体３０（例えば、帯状のベルト）により、電気接続箱１の本体部１１の底面から延びる複数の電線ｗが、電気接続箱１の電線収容空間１７（図４（ｃ）参照）から引出口１５を経て電気接続箱１の外部に向かう所定の経路（図２参照）に沿うように形状を整えながら、本体部１１の底面に向けて押し付けられる。これにより、複数の電線ｗに対し、上述した経路に沿う形状を有するように癖付けが施される。そして、癖付けが施された複数の電線ｗを覆うように、本体部１１に下カバー部１２が組み付けられる。よって、癖付けが施されていない複数の電線ｗを覆うように強引に本体部１１に下カバー部１２を組み付ける場合に比べ、本体部１１に下カバー部１２を組み付ける作業が容易になる。また、紐状体３０を用いることで、電線ｗの数が増大しても、電線ｗの癖付けが容易になる。したがって、本発明の実施形態に係る電気接続箱１の製造方法は、電気接続箱１の小型化・薄型化と生産性の向上とを両立可能である。
【００２８】
更に、本発明の実施形態に係る電気接続箱１の製造方法によれば、電気接続箱１に一般に存在する「電子部品の収容箇所と外壁との間に存在する隙間」や「電子部品の収容箇所同士の間に存在する隙間」を貫通孔２４として使用することで、紐状体３０が電線収容空間１７の内外に挿通される。よって、紐状体３０を通すための専用の貫通孔を電気接続箱１に設ける必要がない。その結果、本構成の製造方法を、一般の電気接続箱に容易に適用できる。
【００２９】
更に、本発明の実施形態に係る電気接続箱１の製造方法によれば、紐状体３０によって電線ｗを押し付けたまま、下カバー部１２が本体部１１に組み付けられる。そのため、紐状体３０による電線ｗの押し付けが解除される場合に比べ、電線ｗの形状が所定の経路に沿った形状に強固に保たれる。よって、本体部１１に下カバー部１２を組み付ける工程が容易になり、電気接続箱１の生産性を全体として向上できる。
【００３０】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３１】
上記実施形態では、紐状体３０の引き締め（即ち、複数の電線ｗの押し付け）を維持しながら下カバー部１２が本体部１１に組み付けられ、その後に、紐状体３０の引き締めを解除して紐状体３０が本体部１１から引き抜かれている。これに対し、紐状体３０の引き締めを解除して紐状体３０が本体部１１から引き抜かれた後に、下カバー部１２が本体部１１に組み付けられてもよい。
【００３２】
更に、上記実施形態では、電気接続箱１の電線収容空間１７と外部とを繋ぐ引出口１５は、下カバー部１２側に設けられている。これに対し、引出口は、本体部１１側に設けられてもよいし、下カバー部１２と本体部１１とによって画成されてもよい。
【００３３】
ここで、上述した本発明に係る電気接続箱１の製造方法の実施形態の特徴をそれぞれ以下［１］〜［３］に簡潔に纏めて列記する。
［１］
電子部品（２１，２２）を内部に収容可能であり且つ前記電子部品（２１，２２）に電気的に接続される電線（ｗ）を外部に向けて引出可能である電気接続箱（１）を製造するための、電気接続箱（１）の製造方法であって、
前記電気接続箱（１）は、
前記電子部品（２１，２２）を保持可能な本体部（１１）と、前記本体部（１１）に組み付けられるカバー部（１２）と、を有し、前記本体部（１１）及び前記カバー部（１２）の少なくとも一方は、前記本体部（１１）から延びる前記電線（ｗ）を前記本体部（１１）と前記カバー部（１２）との間に画成される空間（１７）の内部から外部に挿通可能な開口箇所（１５）を有するように構成され、
前記本体部（１１）は、
当該本体部（１１）を貫通する少なくとも２つの貫通孔（２４）を有し、
当該製造方法は、
前記電気接続箱（１）の内部から前記開口箇所（１５）を経て前記電気接続箱（１）の外部に向かう所定の経路に沿うように前記電線（ｗ）の形状を整えながら、前記少なくとも２つの前記貫通孔（２４）の一つを通じて前記空間（１７）の内部へ入り且つ他の一つを通じて前記空間（１７）の外部へ出るように設けられた紐状体（３０）を引き締めて前記電線（ｗ）を前記本体部（１１）に向けて押し付けることにより、前記経路に沿う形状を有するように前記電線（ｗ）に対して癖付けを施す、第１工程と、
前記癖付けが施された前記電線（ｗ）が前記本体部（１１）と前記カバー部（１２）との間に収容され且つ前記開口箇所（１５）を経て外部に向かうように、前記本体部（１１）に前記カバー部（１２）を組み付ける、第２工程と、を備える、
電気接続箱の製造方法。
［２］
上記［１］に記載の製造方法において、
前記少なくとも２つの前記貫通孔（２４）は、前記本体部（１１）に前記電子部品（２１，２２）を収容して保持する収容箇所と前記本体部（１１）の外壁（１４）との間の空隙、又は、前記収容箇所同士の間に存在する空隙である、
電気接続箱の製造方法。
［３］
上記［１］又は上記［２］に記載の製造方法において、
前記第２工程にて、前記本体部（１１）に前記カバー部（１２）が組み付けられた後、前記紐状体（３０）を前記前記貫通孔（２４）を通じて引き抜くことにより、前記紐状体（３０）を前記本体部（１１）から取り外す、
電気接続箱の製造方法。
【符号の説明】
【００３４】
１      電気接続箱
１１    本体部
１２    下カバー部（カバー部）
１４    側壁（外壁）
１５    引出口（開口箇所）
１７    空間（電線収容空間）
２１    リレー（電子部品）
２２    ヒューズ（電子部品）
２４    貫通孔
３０    紐状体
ｗ      電線
【図１】
2020124014.tif 000003
【図２】
2020124014.tif 000004
【図３】
2020124014.tif 000005
【図４】
2020124014.tif 000006
【図５】
2020124014.tif 000007